(57)【特許請求の範囲】
【請求項１】
アース線を固定するための複数個の接続用孔が穿孔された板形の接続導体を備えたアース線の集合装置において、接続用孔を単列に配列した接続導体を複数段の階段形状に配置してアース線の取付面を複数面に分散し、各接続導体の端部を導通性のある側板で連結したことを特徴とするアース線の集合装置。
【請求項２】
請求項１のアース線の集合装置において、接続導体はブロック形の絶縁材を介して取付ベースから離間されていることを特徴とするアース線の集合装置。
【請求項３】
請求項２のアース線の集合装置において、取付ベースが平坦形に形成され、取付ベースに接続導体，側板，絶縁材を覆う箱形のカバーが着脱可能であることを特徴とするアース線の集合装置。
【発明の詳細な説明】
【０００１】
【発明の属する技術分野】
本発明は、複数の通信用装置等のアース線を統合して共通化するためのアース線の集合装置に係る技術分野に属する。
【０００２】
【従来の技術】
従来、アース線の集合装置としては、例えば、図７に示すものが知られている。
【０００３】
この従来のアース線の集合装置は、接続面積を小さくして実装密度を高めることを指向したもので、アース線１を固定するための複数個の接続用孔２が長さ方向へ２列Ａ，Ｂに配列されて穿孔された板形の接続導体３を備えてなる。アース線１は、端部に固定された端子金具４が接続用孔２に挿通締付けされるボルト５，ナット６によって固定される。
【０００４】
【発明が解決しようとする課題】
前述の従来のアース線の集合装置では、接続導体３における接続用孔２の開口面積が大きくなるため、接続導体３の構造的強度が低いという問題点がある。さらに、多数本のアース線１が同一の取付面に集合してしまうため、アース線１の導入方向によっては他のアース線１の配線が邪魔になる等により、アース線１の接続作業性が低いという問題点がある。
【０００５】
本発明は、このような問題点を考慮してなされたもので、接続導体の構造的強度が高く、アース線の接続作業性が高いアース線の集合装置を提供することを課題とする。
【０００６】
【課題を解決するための手段】
前述の課題を解決するため、本発明に係るアース線の集合装置は、次のような手段を採用する。
【０００７】
即ち、請求項１では、アース線を固定するための複数個の接続用孔が穿孔された板形の接続導体を備えたアース線の集合装置において、接続用孔を単列に配列した接続導体を複数段の階段形状に配置してアース線の取付面を複数面に分散し、各接続導体の端部を導通性のある側板で連結したことを特徴とする。この手段では、接続導体の接続用孔を単列のみ穿孔して開口面積を低減し端部を側板で連結補強したことにより、接続導体の構造的強度の低下が避けられている。また、接続導体が階段形状に配置されることにより、アース線の取付面を交差を少なくして複数形成し、アース線の接続作業性を高めている。
【０００８】
また、請求項２では、請求項１のアース線の集合装置において、接続導体はブロック形の絶縁材を介して取付ベースから離間されていることを特徴とする。この手段では、接続導体が取付ベースから離間されることにより、アース線の取付面の周囲を広く開放して、アース線の接続作業性を高めている。
【０００９】
また、請求項３では、請求項２のアース線の集合装置において、取付ベースが平坦形に形成され、取付ベースに接続導体，側板，絶縁材を覆う箱形のカバーが着脱可能であることを特徴とする。この手段では、カバーを取り外すと接続導体の周囲に邪魔物がなくなるようにして、アース線の取付面の周囲を広く開放し、アース線の接続作業性を高めている。
【００１０】
【発明の実施の形態】
以下、本発明に係るアース線の集合装置の実施の形態を図１〜図６に基いて説明する。
【００１１】
図１〜図３は、本発明に係るアース線の集合装置の実施の形態（１）を示すものである。
【００１２】
この実施の形態では、接続導体３に複数個穿孔される接続用孔２を単列に配列し、接続導体３における接続用孔２の開口面積を低減してある。そして、２枚の接続導体３を急傾斜の階段形状に配置し、各接続導体３の両端部を導通性を有する側板７で連結しボルト８で固定してある。従って、２枚の接続導体３と２枚の側板７とは、枠体形に強固に組付けられている。
【００１３】
一方の接続導体３は、凸字状のブロック形の２台の絶縁材９にボルト１０で固定されている。また、両絶縁材９は、平坦形に形成された取付ベース１１にボルト１２で固定されている。従って、両接続導体３は、取付ベース１１から離間されて周囲に邪魔物が存在しないようになっている。
【００１４】
取付ベース１１には、接続導体３，側板７，絶縁材９を覆って接続導体部を保護するための箱形のカバー１３が着脱可能に設けられている。このカバー１３は、取付ベース１１の一端部に庇形に固定された固定部１３ａと、固定部１３ａに当接されて取付ベース１１にボルト１４，ナット１５で固定される箱形の着脱部１３ｂとからなる。
【００１５】
さらに、絶縁材９に固定された接続導体３には、底板１６が固定されアース極１７に接続されるようになっている。
【００１６】
このように構成された実施の形態では、接続導体３における接続用孔２の開口面積の低減と、接続導体３，側板７の枠体形の強固な組付けとにより、接続導体３の構造的強度が高くなっている。
【００１７】
また、２枚の接続導体３によりアース線１の取付面が２面に分散して備えられていること、２枚の接続導体３が急傾斜の階段形状に配置されてアース線１の取付面の交差が防止されていることにより、接続導体３の周囲に邪魔物を存在させずアース線１の取付面の周囲を広く開放したことにより、多数本のアース線１の多方向からの導入が可能になり、アース線１の接続作業性が高くなる。
【００１８】
図４は、本発明に係るアース線の集合装置の実施の形態（２）を示すものである。
【００１９】
この実施の形態では、３枚の接続導体３を山形の２枚の側板７で山台形の階段形状に組付けてある。
【００２０】
このように構成される実施の形態では、前述の実施の形態（１）とほぼ同様の作用，効果が奏される。なお、この実施の形態の接続導体３は、前述の実施の形態（１）に比し、構造的強度が高くなり、アース線１の実装密度が高くなる。
【００２１】
図５は、本発明に係るアース線の集合装置の実施の形態（３）を示すものである。
【００２２】
この実施の形態では、３枚の接続導体３を比較的緩傾斜の階段形状に配置してある。
【００２３】
このように構成される実施の形態では、アース線１の取付面が一部交差するが、前述の実施の形態（１）とほぼ同様の作用，効果が奏される。なお、この実施の形態の接続導体３は、前述の実施の形態（１）に比し、アース線１の実装密度が高くなる。
【００２４】
図６は、本発明に係るアース線の集合装置の実施の形態（４）を示すものである。
【００２５】
この実施の形態では、前述の実施の形態（３）の階段形状の傾斜を中折形にしてある。
【００２６】
このように構成される実施の形態では、前述の実施の形態（３）とほぼ同様の作用，効果が奏される。なお、この実施の形態の接続導体３は、前述の実施の形態（３）に比し、少ない傾斜スペースで階段形状に配置される。
【００２７】
以上、図示した実施の形態の外に、４枚以上の接続導体３を階段形状に配置する構成とすることも可能である。
【００２８】
【発明の効果】
以上のように本発明に係るアース線の集合装置は、接続導体における接続用孔の開口面積が低減され、複数枚の接続導体が側板で強固に組付けられているため、接続導体の構造的強度が高くなる効果がある。
【００２９】
さらに、アース線の取付面が複数面交差を少なくして設けられているため、アース線の接続作業性が高くなる効果がある。
【図面の簡単な説明】
【図１】本発明に係るアース線の集合装置の実施の形態（１）を示す要部の斜視図である。
【図２】図１の一部部材（カバー）を取外した正面図である。
【図３】図２の側面図である。
【図４】本発明に係るアース線の集合装置の実施の形態（２）を示す要部の斜視図である。
【図５】本発明に係るアース線の集合装置の実施の形態（３）を示す要部の斜視図である。
【図６】本発明に係るアース線の集合装置の実施の形態（４）を示す要部の斜視図である。
【図７】従来例を示す要部の斜視図である。
【符号の説明】
１                アース線
２                接続用孔
３                接続導体
７                側板
９                絶縁材
１１              取付ベース
１３              カバー
【図１】
0003657324.tif 000002
【図２】
0003657324.tif 000003
【図３】
0003657324.tif 000004
【図４】
0003657324.tif 000005
【図５】
0003657324.tif 000006
【図６】
0003657324.tif 000007
【図７】
0003657324.tif 000008